(57)【要約】【課題】  履物の鼻緒に取付けられる外反母趾の矯正具であって、症状に応じて親指を押し開く角度の調整が可能な外反母趾の矯正具の提供。【解決手段】  矯正具９は基部４を中心として両側片３ａ，３ｂがＶ形を成したＶ形本体１と、該Ｖ形本体１の両側片３ａ、３ｂの交差角を調整する三角嵌合部２を挟み込み、基部４に設けた穴６に鼻緒８を嵌めて取付ける。【選択図】    図１
2007319201.tif 000002
【特許請求の範囲】
【請求項１】
履物の鼻緒に取付けられる外反母趾の矯正具において、該矯正具は基部を中心として両側片がＶ形を成したＶ形本体と、該Ｖ形本体の両側片の交差角を調整する調整部を備え、基部に設けた穴又は溝に上記鼻緒を嵌めて取付け可能としたことを特徴とする外反母趾の矯正具。
【請求項２】
上記調整具として概略三角嵌合部を両側片にて挟み込んだ構造とした請求項１記載の外反母趾の矯正具。
【請求項３】
上記側片の内面及び概略三角嵌合部の側面には粘着テープを貼着した請求項２記載の外反母趾の矯正具。
【請求項４】
上記側片の内面には凸部を設け、概略三角嵌合部の側面には凸部が嵌る複数個の穴を設けた請求項２記載の外反母趾の矯正具。
【請求項５】
両側片にはナットを揺動可能に軸支し、このナットのネジ穴に螺合するネジを介して連結し、ネジの中間部には回転用のツマミを設けた請求項１記載の外反母趾の矯正具。
【発明の詳細な説明】
【技術分野】
【０００１】
本発明は外反母趾を防止すると共に、外反母趾を治す為の矯正具に関するものである。
【背景技術】
【０００２】
外反母趾とは足の親指が内側へ向いて、該親指の関節が外側へ張り出した状態になる症状である。これは、近年の靴の形状に大きく影響し、女性が愛用しているような先端部が細く尖った形状のハイヒールを履くことで外外反母趾になるケースが多い。そして、ハイヒールはカカトが高く成っていることで、細く成っている先端部へ体重が集中することで、外反母趾を一段と助長することに成る。
【０００３】
女性の大半はこの外反母趾であるか、又は外反母趾の予備軍であり、突出した親指の関節に痛みが走って長時間歩くことが出来なくなり、場合によっては靴を履くことも困難になる。そこで、この外反母趾を治す為の色々な矯正具が販売されている。また、外反母趾にならないような履物も市販されている。勿論、先端部が細く尖ったハイヒールのような靴を履かなければ外反母趾にならない訳であるが、女性にとってハイヒールは必需品である。
【０００４】
実用新案登録第３００９０７９号に係る「室内履き」は、外反母趾を効率良く匡正することが出来る室内履きであり、履物本体の前部に於ける鼻緒の首部に対して肉厚２ｍｍ〜７ｍｍ、高さ１５ｍｍ〜２５ｍｍのリング体を取付けている。従って、この室内履きを履くことで、リング体が足の親指と人差し指の間を外方に広げるようになり、これに伴って親指をその付根部分に沿う如く押圧状態とする。
【０００５】
実用新案登録第３０６８８０７号に係る「外反母趾矯正具」は、外反母趾を矯正していくクッションの上下に円形の鍔をつけて、靴を履いても挟んだ足の上下のくぼみから取れにくく、日常の生活の中で外反母趾を矯正可能にし、更には通気穴として縦及び横の穴を設けている。
【０００６】
この他にも、実用新案登録第３０７９４９２号に係る「スリッパ」、特開２００５−３０５０６３号に係る「外反母趾治療用中敷及び履物」、特開平１１−１１４０１１号に係る「足裏の重点指圧、足指乾燥及び外反母趾矯正用スリッパ」、特開平１０−１５５５０５号に係る「外反母趾対策・健康シューズ」などが知られている。
【０００７】
このように、外反母趾を矯正する為の履物は数多く知られている。そして、該履物を履くことで外反母趾を矯正することが可能であるが、外反母趾の矯正具の基本的形態は足の親指と人差し指の間を外方向へ広げることが出来る構造としている。しかし、外反母趾の症状によっては親指と人差し指の間に嵌る寸法が適さない場合も多い。すなわち、大き過ぎたり小さ過ぎたりして合わないこともある。
【特許文献１】実用新案登録第３００９０７９号に係る「室内履き」
【特許文献２】実用新案登録第３０６８８０７号に係る「外反母趾矯正具」
【特許文献３】実用新案登録第３０７９４９２号に係る「スリッパ」
【特許文献４】特開２００５−３０５０６３号に係る「外反母趾治療用中敷及び履物」
【特許文献５】特開平１１−１１４０１１号に係る「足裏の重点指圧、足指乾燥及び外反母趾矯正用スリッパ」
【特許文献６】特開平１０−１５５５０５号に係る「外反母趾対策・健康シューズ」
【発明の開示】
【発明が解決しようとする課題】
【０００８】
このように、従来の外反母趾を矯正する為の矯正具には上記のごとき問題がある。本発明が解決しようとする課題はこれら問題点であって、症状に応じて親指を押し開く角度の調整が可能な外反母趾の矯正具を提供する。
【課題を解決するための手段】
【０００９】
本発明に係る外反母趾用の矯正具は、概略Ｖ形の本体と嵌合部とで構成され、Ｖ形本体に概略三角形の嵌合部が嵌合して組み合わされた構造としている。そして、Ｖ形本体の両側片の交差角は調整可能とし、三角嵌合部の嵌合度に応じて変化することが出来る。ところで、Ｖ形本体の両側片が交わる基部には履物の鼻緒が嵌って取付けられる。そこで、該履物を履く場合には、Ｖ形本体は足の親指と人差し指の間に嵌り、親指を外方向へ押出すことが出来る。
【００１０】
そこで、概略三角嵌合部をＶ形本体の両側片間に深く嵌合させるならば、両側片の交差角が拡大することが出来る。三角嵌合部とＶ形本体との組み合わせ構造は限定せず、例えば接合面に粘着テープを取付け、該粘着テープを介して三角嵌合部が着脱自在に取付けられる。しかも、該三角嵌合部の位置は自由に変えることが可能となる。一方、概略三角嵌合部を使用しないで、両側片の交差角を変化させる為の調整部を側片に直接取付けることもある。
【発明の効果】
【００１１】
本発明に係る外反母趾の矯正具は履物の鼻緒に取付けることが出来る。すなわち、Ｖ形本体の基部に鼻緒が嵌って取付けることが出来、しかもＶ形本体の両側片間には概略三角嵌合部が嵌ると共に、三角嵌合部の位置を変えることで、一方別な調整部を調整することで両側片の交差角度を変化出来る構造としている。従って、症状に応じて側片の開き度を調整して鼻緒に取付けることが可能であり、無理なく外反母趾を矯正できる。
【実施例】
【００１２】
図１は本発明に係る外反母趾の矯正具を表している実施例である。同図の１はＶ形本体、２は三角嵌合部を示し、Ｖ形本体１は両側片３ａ，３ｂと基部４を有し、三角嵌合部２は両側片３ａ，３ｂの間に挟まれている。そして、三角嵌合部２の頂部４と基部４との間には隙間を設け、その結果、貫通した穴６が形成されている。
【００１３】
本発明の矯正具９は上記穴６に履物の鼻緒が嵌って取付けられる。ここで、上記Ｖ形本体１は丈夫な長方形の生地、又はシートで、その内面には粘着テープ(マジックテープ)が貼着され、同じく三角嵌合部２の両側面にも粘着テープ(マジックテープ)を貼着している。従って、三角嵌合部２の側面にＶ形本体１の側片３ａ，３ｂを貼付けた構造となっている。そして、基部４と三角嵌合部２の位置関係を調整することが出来る。
【００１４】
図２は履物７の鼻緒８に上記矯正具９を取付けた場合を表している。三角嵌合部２の頂部５を鼻緒８に当てた状態で、Ｖ形本体１にて鼻緒８と共に三角嵌合部２を抱き込むことで取付けられ、この状態で履物７を履くことになる。三角嵌合部２にて開いた側片３ａ，３ｂが足の親指と人差し指の間に嵌入して親指を外方向へ押し広げることが出来る。従って、外反母趾が矯正される。
【００１５】
ここで、三角嵌合部２の頂部５を鼻緒８に接することなく、間に隙間を残してＶ形本体１の両側片３ａ，３ｂにて挟み込むならば、履物７を履いた際の親指の押し広がりは小さくなる。このように、Ｖ形本体１と三角嵌合部２との位置関係を調整することで外反母趾の症状に応じた矯正具９として履物７に取付けできる構造と成っている。
【００１６】
図３は三角嵌合部２の形状を示す具体例である。(ａ)に示す三角嵌合部２ａは最も大きなサイズとしており、これをＶ形本体１の側片３ａ，３ｂにて挟み込んで履物７に取付けることで、親指２が外方向へ大きく押し出される。側面１０には粘着テープが貼着されていて、Ｖ形本体１の側片３ａ，３ｂは三角嵌合部２ａを挟み込んで矯正具９が構成される。
【００１７】
同じく、図３(ｂ)、(ｃ)に示す三角嵌合部２ｂ，２ｃもＶ形本体１の側片３ａ，３ｂに挟まれて矯正具が出来上がる。このように三角嵌合部２ａ，２ｂ，２ｃの大きさを色々準備することで、症状に適した三角嵌合部２を用いて構成した矯正具９は履物７の鼻緒８に取付けされる。
【００１８】
図４は本発明の矯正具９を表す他の実施例であり、Ｖ形本体１の側片３ａ，３ｂは前記図１のようなシートではなく、剛体で構成している。また、側片３ａ，３ｂの内面には粘着テープを設けておらず、側片３ａ，３ｂの内面には小さな凸部１１ａ，１１ｂを突出して形成し、この凸部１１ａ，１１ｂが両側片３ａ，３ｂの間に嵌って挟み込まれる三角嵌合部２の両側面に設けた穴に嵌る。三角嵌合部２の側面には３箇所に穴１２ａ，１２ｂ，１３ａ，１３ｂ，１４ａ，１４ｂが設けられていて、凸部１１ａ，１１ｂが嵌る穴の位置によってＶ形本体１の両側片３ａ，３ｂの交差角が変化することが出来る。
【００１９】
粘着テープを使用した場合のように、側片３ａ，３ｂの交差角を無段階で調整することは出来ないが、凸部１１ａ，１１ｂが穴１３ａ，１３ｂに嵌ることで安定した交差角となる。そして、Ｖ形本体１の基部４には穴１５が形成され、この穴１５に履物７の鼻緒８が嵌って取付けられる。勿論、前記図３に示すように、大きさの異なる複数の三角嵌合部２を準備することは可能である。
【００２０】
図５は本発明に係る矯正具９を表す別形態である。この矯正具９はＶ形本体１と交差角調整部１６とから成り、前記実施例のごとく三角嵌合部２を有していない。交差角調整部１６はネジ１７とツマミ１８を有し、ネジ１７の両端部は両側片３ａ，３ｂに取付けているナット１９ａ，１９ｂに螺合している。そしてナット１９ａ，１９ｂは側片３ａ，３ｂと支持部２０ａ，２０ｂに設けているピン２１ａ，２１ｂを介して揺動可能に連結している。同図の(ｂ)は(ａ)に於けるＡ部拡大図である。
【００２１】
従って、ツマミ１８を回転するならば該ツマミ１８と共にネジ１７が回り、その結果、回転しないで取付けられているナット１９ａ，１９ｂの距離が変化し、両側片３ａ，３ｂの交差角も変化する。両ナット間距離の変化と共に側片３ａ，３ｂの交差角が変わることが出来るように、ナット１９ａ，１９ｂはピン２１ａ，２１ｂに軸支されている。従って、三角嵌合部２を用いないで両側片３ａ，３ｂの交差角が調整可能となる。
【００２２】
Ｖ形本体１の両側片３ａ，３ｂの交差角を調整する為の手段はその他にも色々存在するが、具体的な調整手段に限定するものではない。基部４には板バネ２２にて鼻緒８が嵌る穴１５を形成し、該鼻緒８が穴１５に嵌ることで矯正具９の位置ズレを防止している。そして、側片３ａ，３ｂの外側面には親指と人差し指が嵌るが、擦れて痛みを感じないように軟らかいシリコン樹脂層を外側面に設けることもある。
【図面の簡単な説明】
【００２３】
【図１】本発明に係る矯正具を表している実施例。
【図２】矯正具を履物の鼻緒に取付けた具体例。
【図３】図１の矯正具を構成する三角嵌合部。
【図４】本発明に係る矯正具を表している他の実施例。
【図５】本発明に係る矯正具を表している別の実施例。
【符号の説明】
【００２４】
１  Ｖ形本体
２  三角嵌合部
３  側片
４  基部
５  頂部
６  穴
７  履物
８  鼻緒
９  矯正具
10  側面
11  凸部
12  穴
13  穴
14  穴
15  穴
16  交差角調整部
17  ネジ
18  ツマミ
19  ナット
20  支持部
21  ピン
22  板バネ
【図１】
2007319201.tif 000003
【図２】
2007319201.tif 000004
【図３】
2007319201.tif 000005
【図４】
2007319201.tif 000006
【図５】
2007319201.tif 000007